(57)【要約】【課題】２つのパラメータの調整の際に、調整動作が簡単で、パラメータ確認のための視線の移動がなく、直感的にパラメータを把握可能な撮影装置を提供する。【解決手段】円周方向３０ａと、半径方向３０ｂに移動可能なカーソル３０ｆを有する円形マップ表示３０を表示可能な表示部８ａと、カーソル３０ｆの円周方向と、半径方向にそれぞれ移動させる操作部２を有し、操作部２によって移動させた、カーソル３０ｆの円周方向の位置と、半径方向の位置にそれぞれ第１および第２の撮影パラメータを対応させて制御を行う。【選択図】  図３
2014127722.tif 000002
【特許請求の範囲】
【請求項１】
円周方向と、半径方向に移動可能なカーソルを有する円形マップ表示を表示可能な表示部と、
上記カーソルの上記円周方向と、半径方向にそれぞれ移動させる操作部と、
上記操作部によって移動させた、上記カーソルの円周方向の位置と、半径方向の位置にそれぞれ第１および第２の撮影パラメータを対応させて制御を行う制御部と、
を有することを特徴とする撮影装置。
【請求項２】
上記第１の撮影パラメータは上記円周方向の位置に依存し、上記第１の撮影パラメータを無効化するために、上記円形マップ表示上にニュートラルゾーンを設けたことを特徴とする請求項１に記載の撮影装置。
【請求項３】
上記操作部は、上記円形マップ表示上で上記カーソルを円周方向に移動させる第１のダイヤルと、上記円形マップ表示上で上記カーソルを半径方向に移動させる第２のダイヤルを有することを特徴とする請求項１に記載の撮影装置。
【請求項４】
上記第１及び第２のダイヤルは、異なる指で同時に操作可能な位置に配置されたことを特徴とする請求項３に記載の撮影装置。
【請求項５】
上記第１のダイヤルは略一周することにより、上記円形マップ表示上の円周を一周し、上記第２のダイヤルは一度の操作ストロークで半径の半分以上を移動することを特徴とする請求項３に記載の撮影装置。
【発明の詳細な説明】
【技術分野】
【０００１】
本発明は、撮影装置に関し、詳しくは、表示部に円周方向と、半径方向に移動可能なカーソルを有する円形マップ表示を用いて撮影パラメータの設定可能な撮影装置に関する。
【背景技術】
【０００２】
撮影装置において、２つの撮影パラメータを操作する際のパラメータの量を表示することが提案されている。例えば、特許文献１に開示の撮像装置は、露出補正を行うと色味が変化することから、露出補正量を表示する直線状のインジケータＰ１と、色味補正量を表示する直線状のインジケータＰ２をインジケータＰ１と９０度ずらして配置し、この２つのインジケータ中の２つのカーソルＣ１、Ｃ２によって、露出補正量と色味補正量を表示している。
【先行技術文献】
【特許文献】
【０００３】
【特許文献１】特開２０１２−１６０９５８号公報
【発明の概要】
【発明が解決しようとする課題】
【０００４】
特許文献１に開示の撮影装置においては、露出補正量と色味補正量は相互に関連がありながら、補正の際には、２つのインジケータを見ながら行わなければならない。このため、調整動作が大変煩わしく、また調整動作のために２つのインジケータを見るために視線移動があり、また２つのインジケータを見比べなければならず、直感的に両者を把握することができない。
【０００５】
本発明は、このような事情を鑑みてなされたものであり、２つのパラメータの調整の際に、調整動作が簡単で、パラメータ確認のための視線の移動がなく、直感的にパラメータを把握可能な撮影装置を提供することを目的とする。
【課題を解決するための手段】
【０００６】
上記目的を達成するため第１の発明に係る撮影装置は、円周方向と、半径方向に移動可能なカーソルを有する円形マップ表示を表示可能な表示部と、上記カーソルの上記円周方向と、半径方向にそれぞれ移動させる操作部と、上記操作部によって移動させた、上記カーソルの円周方向の位置と、半径方向の位置にそれぞれ第１および第２の撮影パラメータを対応させて制御を行う制御部と、を有する。
【０００７】
第２の発明に係る撮影装置は、上記第１の発明において、記第１の撮影パラメータは上記円周方向の位置に依存し、上記第１の撮影パラメータを無効化するために、上記円形マップ表示上にニュートラルゾーンを設ける。
【０００８】
第３の発明に係る撮影装置は、上記第１の発明において、上記操作部は、上記円形マップ表示上で上記カーソルを円周方向に移動させる第１のダイヤルと、上記円形マップ表示上で上記カーソルを半径方向に移動させる第２のダイヤルを有する。
【０００９】
第４の発明に係る撮影装置は、上記第３の発明において、上記第１及び第２のダイヤルは、異なる指で同時に操作可能な位置に配置される。
第５の発明に係る撮影装置は、上記第１の発明において、上記第１のダイヤルは略一周することにより、上記円形マップ表示上の円周を一周し、上記第２のダイヤルは一度の操作ストロークで半径の半分以上を移動する。
【発明の効果】
【００１０】
本発明によれば、２つのパラメータの調整の際に、調整動作が簡単で、パラメータ確認のための視線の移動がなく、直感的にパラメータを把握可能な撮影装置を提供することができる。
【図面の簡単な説明】
【００１１】
【図１】本発明の一実施形態に係るカメラの主として電気的構成を示すブロック図である。
【図２】本発明の一実施形態に係るカメラにおいて、撮影者による操作時の背面側から見た外観斜視図である。
【図３】本発明の一実施形態に係るカメラの操作部と、円形マップ表示を示す図である。
【図４】本発明の一実施形態に係るカメラのカメラ制御の動作を示すフローチャートである。
【図５】本発明の一実施形態に係るカメラのカメラ制御の動作を示すフローチャートである。
【図６】本発明の一実施形態に係るカメラのカメラ制御の動作を示すフローチャートである。
【図７】本発明の一実施形態に係るカメラの操作状態を示す図である。
【図８】本発明の一実施形態に係るカメラの操作部の変形例を示す外観図である。
【図９】本発明の一実施形態に係るカメラの円形マップ表示の変形例を示す図である。
【図１０】本発明の一実施形態に係るカメラにおいて、円形マップ表示の大きさ、形状、位置を変化させるための基本操作を示す図である。
【図１１】本発明の一実施形態に係るカメラにおいて、円形マップ表示の形状、大きさ、位置を変化させる操作を示す図である。
【発明を実施するための形態】
【００１２】
以下、図面に従って本発明を適用したカメラを用いて好ましい実施形態について説明する。本発明の好ましい一実施形態に係るカメラは、デジタルカメラである。撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、画像データが記録媒体に記録される。記録媒体に記録された画像データは、再生モードを選択すると、表示部に再生表示することができる。
【００１３】
また、ライブビュー表示時に、色相と彩度を調節するための調節モードを選択すると、ライブビュー画像に円形マップ表示が重畳表示される。２つの操作部材を操作すると、操作に応じて、色相と彩度を表すカーソルの位置が移動すると共に、ライブビュー画像の色相と彩度が調節される。この円形マップ表示を用いた調整については、図３を用いて後述する。
【００１４】
図１は、本発明の一実施形態に係るカメラの主として電気的構成を示すブロック図である。画像処理及び制御部１は、表示制御部１ａ、撮影制御部１ｂ、および彩度・色相調整部１ｃを有する。
【００１５】
表示制御部１ａは、後述するファインダ表示部（Ｆ表示部と略記する）７ａと表示部８ａに接続され、これらの表示部における表示を制御する。表示部における表示としては、撮像部３からの画像データに基づくライブビュー表示、記録部５に記録されている画像データに基づく再生表示、メニュー画面等の設定用の画面表示等を行う。
【００１６】
また、表示制御部１ａは、ライブビュー表示等の際に彩度・色相調節モードが設定された場合には、操作部２による操作に応じて、表示部に表示する円形マップ表示３０上のカーソルの位置３０ｆを制御する（図３参照）。また、このカーソル位置に応じて彩度・色相調整部１ｃに調整された彩度や色相でライブビュー画像等の表示制御を行う。表示制御部１ａは、操作部によって移動させたカーソルの円周方向の位置と、半径方向の位置にそれぞれ第１および第２の撮影パラメータを対応させて制御を行う制御部として機能する。
【００１７】
撮影制御部１ｂは、撮像部３の撮像制御や、シャッタ、絞り等の露出制御等、種々の撮影制御を行う。具体的には、ライブビュー表示時の撮像制御や、またレリーズ釦が全押しされた際の露出制御や撮影画像の記録制御等の制御を行う。
【００１８】
彩度・色相調整部１ｃは、ライブビュー画像等の画像データに対して、操作部２の彩度ダイヤル２ａ、色相ダイヤル２ｂの操作に従って、彩度と色相を調整する。彩度調整を行うと、無彩色から有彩色の間で変化させることができる。また、色相調整を行うと、赤、黄、緑、青、紫等の色相を変えることができ、例えば、画像に青味を帯びさせるとか、赤味を帯びさせる等の調整を行うことができる。これによって、夕日を撮影した際、より夕日を強調するために赤味を帯びさせるような調整を行うことが可能となる。
【００１９】
操作部２は、電源釦、レリーズ釦、再生釦、メニュー釦、十字キー、ＯＫ釦等、各種入力釦や各種入力キー等の操作部材を含む。また、本実施形態においては、彩度を調節するための彩度ダイヤル２ａと色相を調節するための色相ダイヤル２ｂを有する（図２、図３参照）。また、円形マップ表示モードを実行するためのマップ表示釦２ｃを有する。彩度ダイヤル２ａと色相ダイヤル２ｂは、図３を用いて後述するように、カーソルの円周方向と、半径方向にそれぞれ移動させる操作部として機能する。
【００２０】
操作判定部６は、操作部２の各種操作部材の操作状態を判定し、この操作状態を画像処理及び制御部１に出力する。画像処理及び制御部１は、入力した操作部材の操作状態に応じた処理を行う。例えば、レリーズ釦の半押しがなされるとＡＦ制御やＡＥ制御を行い、レリーズ釦の全押し操作がなされると撮影動作を行い画像データの記録を行う。また、マップ表示釦２ｃが操作された後、彩度ダイヤル２ａや色相ダイヤル２ｂが操作された場合には、これらのダイヤルの回転方向や回転量等の情報を表示制御部１ａに出力する。
【００２１】
撮像部３は、被写体像を形成するための撮影レンズ、被写体像を画像データに変換するための撮像素子、露光制御を行うための絞り、シャッタ等を含み、画像データを画像処理及び制御部１に出力する。
【００２２】
時計部４は、カレンダー機能と計時機能を有し、撮影の日時情報等を取得し、画像処理及び制御部１に出力する。記録部５は、操作部２内のレリーズ釦が全押しされた際に取得した画像データを記録する。再生時には、この記録部５に記録されている画像データを読み出し、表示部８ａ等に表示する。また、画像データの記録の際には、時計部４から出力される日時情報を記録してもよい。
【００２３】
Ｆ表示部７ａは、電子ビューファインダを有し、撮影者は接眼部を介して小型の液晶パネル等に表示される画像を観察可能である。このＦ表示部７ａは、前述した表示制御部１ａから画像データを入力し、ライブビュー画像等、種々の画像を表示する。Ｆ表示部７ａの接眼部の近傍には、アイセンサ７ｂが配置されている（図２参照）。アイセンサ７ｂは、撮影者の眼が接眼部の近傍にあると検知信号を出力する。
【００２４】
表示部８ａは、カメラ本体の背面等に配置された液晶パネル（ＬＣＤ、ＴＦＴ）、有機ＥＬ等の表示パネルを有し、接眼部を介することなく、直接、表示画像を観察可能である。この表示部８ａも、表示制御部１ａからの画像データを入力し、ライブビュー画像等の種々の画像を表示する。また、表示部８ａおよび／またはＦ表示部７ａは、円周方向と、半径方向に移動可能なカーソルを有する円形マップ表示を表示可能な表示部として機能する。円形マップ表示については、図３を用いて後述する。
【００２５】
表示部８ａの前面には、タッチパネル８ｂが設けてある。このタッチパネル８ｂは、撮影者がタッチした位置を検出し、画像処理及び制御部１に出力する。表示部８ａの表示画面等をタッチすることにより、カメラに対して種々の指示を行うことができる。
【００２６】
次に、図２を用いて、操作部２の彩度ダイヤル２ａ、色相ダイヤル２ｂ、マップ表示釦２ｃについて説明する。図２は、カメラ１０を背面側から見た外観斜視図であり、背面には、表示部８ａが設けられている。また、カメラ１０の上部であって、撮影者の右手２０Ｒの親指が触れやすい位置に彩度ダイヤル２ａが配置され、また右手２０Ｒの人差し指が触れやすい位置に色相ダイヤル２ｂが配置されている。
【００２７】
色相ダイヤル２ｂは３６０度回転自在であり、彩度ダイヤル２ａは所定範囲内で回動自在である。一般に撮影者の右手の親指と、人差し指の回転操作のし易さを考慮して、このような配置としている。また、カメラ１０の背面の右上部には、マップ表示釦２ｃが配置され、マップ表示釦２ｃを押圧するたびに、操作判定部６によって検出、この検出信号が画像処理及び制御部１、表示制御部１ａに出力される。
【００２８】
次に、図３を用いて、彩度ダイヤル２ａおよび色相ダイヤル２ｂの操作と、円形マップ表示３０の関係について説明する。図３（ａ）に示す円形マップ表示３０は、表示部８ａまたはＦ表示部７ａにおいて、ライブビュー画像等に重畳して表示される。
【００２９】
ここで、円形マップ表示３０の円周方向３０ａは色相を示しており、右上付近は黄色、右下付近は赤色、左下付近は青色、左上付近は緑色で、円周に沿って移動することにより、可視光での色彩が順次変化し、一周すると、最初の色彩に戻る。また、円形マップ表示３０の円の中心部は無彩色の黒色であり、中心から半径方向３０ｂに沿って外周に移動するにつれて彩度が高くなる。
【００３０】
カーソル３０ｆは、彩度ダイヤル２ａと色相ダイヤル２ｂを操作することにより、カーソル位置が移動する。すなわち、彩度ダイヤル２ａを回動操作すると、カーソル３０ｆは円形マップ表示３０の中で半径方向３０ｂに移動する。彩度ダイヤル２ａの回動範囲は、彩度の最大値と最小値の間であり、トグルしない（最大値と最小値のいずれかを交互に切り換えるものではない）。
【００３１】
また色相ダイヤル２ｂを回転操作すると、カーソル３０ｆは円形マップ表示３０の中で円周方向３０ａに移動する。すなわち、色相ダイヤル２ｂを回転操作すると、連続的に色相環を移動し、一周すると最初の色彩に戻る。
【００３２】
このように、彩度ダイヤル２ａと色相ダイヤル２ｂを操作することにより、撮影者は、画像を意図する色相と彩度に調整することを指示できる。この結果、表示画像の色と明るさを同時に確認操作でき、大変便利である。すなわち、色を明るく調整すると白くなり、暗く調整すると黒くなるように、色と明るさは表裏一体の関係にある。もっと明るい黄色とか深い（暗めの）赤色といったような、色と明るさの組合せを、本実施形態では直感的に確認でき、画像の補正を簡単に行うことができる。色と明るさを、別々に操作するより、単純で明快であり、手間がかからないという利点がある。
【００３３】
ニュートラルゾーン３０ｃは、色相の影響はなく、彩度のみ変化させている。このニュートラルゾーン３０ｃは、扇形をしており、この扇型内の中心部は黒色であり、次第に灰色が薄くなり、外周付近で白色となっている。カーソル３０ｆが、ニュートラルゾーン３０ｃにあるときには、カラーエリアの色味が薄くなっている。ニュートラルゾーン３０ｃ内は、無彩色のライブビュー画像を表示する以外に、ライブビュー画像そのものを表示せず、彩度の変化のみを表示するようにしてもよい。したがって、ニュートラルゾーン３０ｃは、色相を調整するための撮影パラメータは円周方向の位置に依存しており、この撮影パラメータを無効化する。
【００３４】
基準点３０ｄは、オールリセット状態の位置であり、色相も彩度も「０」の点である。また、基準線３０ｅは、彩度が常に「０」の線であり、カーソル３０ｆを円周方向に移動させることにより、図３（ｂ）に示すように、基準線３０ｅは彩度変化がなしで（±０）、色相のみを変化させることができる。
【００３５】
次に、本実施形態におけるカメラの動作について、図４ないし図６に示すフローチャートを用いて説明する。このフローチャートは、記憶部に記憶されたプログラムに従って画像処理および制御部１が実行する。
【００３６】
カメラ制御のフローに入ると、まず、撮影モードか否かを判定する（Ｓ１）。本実施形態のカメラは、撮影モードがデフォルトモードであり、再生モードまたは画像ファイル取得モードが設定されていない場合には、撮影モードを実行する。
【００３７】
ステップＳ１における判定の結果、撮影モードが設定されている場合には、次にアイセンサ７ｂの状態を検出する（Ｓ３）。ここでは、アイセンサ７ｂによって、Ｆ表示部７ａの近傍に撮影者の眼を検出した場合には、Ｙｅｓと判定し、撮影者の眼を検出しなかった場合には、Ｎｏと判定する。
【００３８】
ステップＳ３における判定の結果、Ｎｏであった場合には、次に、背面ライブビュー表示を行う（Ｓ５）。ステップＳ３における判定の結果、撮影者はＦ表示部７ａを覗いていないことから、このステップでは、表示部８ａにライブビュー画像を表示する。
【００３９】
ステップＳ５において背面ライブビュー表示を行うと、次に、円形マップ表示中であるか否かを判定する（Ｓ７）。ここでは、現在、表示部８ａに円形マップを表示しているか否かを判定する。
【００４０】
ステップＳ７における判定の結果、円形マップ表示中でなかった場合には、円形マップを開始するか否かを判定する（Ｓ９）。本実施形態においては、撮影者がマップ表示釦２ｃを操作すると円形マップ表示を行う。そこで、このステップでは、マップ表示釦２ｃの操作状態に基づいて判定する。なお、円形マップ表示は、マップ表示釦２ｃのように専用操作部材を設ける以外にも、例えば、メニューモードで設定したり、また他の操作部材に兼用させるようにしてもよい。
【００４１】
ステップＳ９における判定の結果、円形マップ表示の開始でなかった場合には、マップ表示を消去する（Ｓ１３）。一方、円形マップ表示を開始した場合には、マップ表示を初期位置にプロットする（Ｓ１１）。ここでは、図３（ａ）に示したようなオールリセット位置での円形マップ表示３０を行い、基準点３０にカーソル３０ｆを位置させる。
【００４２】
ステップＳ１１において、マップ表示を初期位置にプロットすると、またはステップＳ７における判定の結果、円形マップが表示中であった場合には、次に、マップ表示を行う（Ｓ１５）。ここでは、図３（ａ）に示したような円形マップ表示３０を表示部８ａに行う。
【００４３】
マップ表示を行うと、次に、色相ダイヤル２ｂが回転操作されたか否かを判定する（Ｓ１７）。ここでは、色相ダイヤル２ｂの回転操作状態を操作判定部６によって判定する。
【００４４】
ステップＳ１７における判定の結果、色相ダイヤル３０ｂが回転操作された場合には、同じ半径の円周上を移動し、対応設定を行う（Ｓ１９）。ここでは、色相ダイヤル２ｂの回転操作に応じてカーソル３０ｆの位置を円周方向に移動させる。そして、カーソル３０ｆの位置に対応する色相に基づいて、彩度・色相調整部１ｃがライブビュー画像の色相を調整する。
【００４５】
続いて、彩度ダイヤル２ａが回動操作されたか否かを判定する（Ｓ２１）。ここでは、彩度ダイヤル２ａの回動操作状態を操作判定部６によって判定する。
【００４６】
ステップＳ２１における判定の結果、彩度ダイヤル２ａが操作された場合には、半径方向に移動させ、対応設定を行う（Ｓ２３）。ここでは、彩度ダイヤル２ａの回動操作に応じて、カーソル３０ｆの位置を半径方向に移動させる。そして、カーソル３０ｆの位置に対応する彩度に基づいて、彩度・色相調整部１ｃがライブビュー画像の彩度を調整する。
【００４７】
続いて、円形マップ内がタッチされたか否かを判定する（Ｓ２５）。本実施形態においては、彩度と色相の設定を彩度ダイヤル２ａと色相ダイヤル２ｂの操作以外にも、表示部８ａに表示されている円形マップ表示３０をタッチすることによって設定できるようにしている。このステップでは、タッチパネル８ｂからのタッチ位置の検知信号に基づいて判定する。
【００４８】
ステップＳ２５における判定の結果、円形マップ内をタッチされた場合には、タッチ点対応設定を行う（Ｓ２７）。ここでは、タッチパネル８ｂからのタッチ位置にカーソル３０ｆを表示し、またタッチ位置に対応する彩度と色相に基づいて、彩度・色相調整部１ｃがライブビュー画像の彩度を調整する。
【００４９】
ステップＳ２７においてタッチ点対応設定を行うと、またはステップＳ１３においてマップ表示を消去すると、またはステップＳ１７における判定の結果、色相ダイヤル２ｂが操作されていなかった場合、またはステップＳ２１における判定の結果、彩度ダイヤル２ａが操作されていなかった場合、またはステップＳ２５における判定の結果、円形マップ内タッチがなされていなかった場合には、次に、撮影操作がなされたか否かを判定する（Ｓ２９）。ここでは、操作部２内のレリーズ釦が全押しされたか否かを判定する。
【００５０】
ステップＳ２９における判定の結果、撮影操作がなされていかった場合には、ステップＳ１に戻る。一方、撮影操作が行われた場合には、撮影記録を行う（Ｓ３１）。ここでは、撮像部３から出力された画像データを画像処理及び制御部１が画像処理を行った後、記録部５に画像データを記録する。画像記録が終わると、ステップＳ１に戻る。
【００５１】
ステップＳ３における判定の結果、アイセンサ７ｂによって、Ｆ表示部７ａの近傍に撮影者の眼を検出した場合には、Ｆ表示部７ａにライブビュー表示を行う（Ｓ４１）。アイセンサ７ｂによる検出の結果、撮影者はＦ表示部７ａを観察していることから、Ｆ表示部７ａにライブビュー画像を表示する（ＥＶＦライブビュー表示を行う）。
【００５２】
ＥＶＦライブビュー表示を行うと、次に、円形マップ表示中か否かを判定する（Ｓ１０７）。このステップＳ１０７〜Ｓ１２３までは、円形マップ表示をＦ表示部７ａに表示する点では相違するが、それ以外については図４のステップＳ７〜Ｓ２３と同様である。図５において、ステップＳ７〜Ｓ２３と同様の処理を行うステップには、これらのステップ番号に１００を加算し、詳しい説明を省略する。
【００５３】
ステップＳ１１３においてマップ表示を消去すると、またはステップＳ１１７における判定の結果、色相ダイヤル２ｂが操作されていなかった場合、またはステップＳ１２１における判定の結果、彩度ダイヤル２ａが操作されていなかった場合、またはステップＳ１２３において半径方向に移動し、対応設定を行うと、前述のステップＳ２９に戻り、撮影操作を行うか否かの判定を行う。
【００５４】
なお、Ｆ表示部７ａにおける円形マップ表示の場合には、表示部８ａに表示する場合と異なり、円形マップ内タッチ操作の判定を行っていない。Ｆ表示部７ａにおいては、タッチ操作を行うことができないからである。
【００５５】
ステップＳ１における判定の結果、撮影モードでなかった場合には、再生モードか否かの判定を行う（Ｓ５１）。操作部２の内の再生釦が操作されると、再生モードとなる。このステップでは、再生釦が操作されたか否かに基づいて判定する。
【００５６】
ステップＳ５１における判定の結果、再生モードであった場合には、次に、画像再生を行う（Ｓ５３）。ここでは、記録部５から画像データを読み出し、表示部８ａまたはＦ表示部７ａに画像再生を行う。
【００５７】
画像再生を行うと、次に変更か否かを判定する（Ｓ５５）。ここでは、操作部２の十字釦等の操作によって、またはタッチパネル８ｂのタッチ操作によって、撮影者が再生画像の送り操作、若しくは戻し操作を行ったか否かを判定する。
【００５８】
ステップＳ５５における判定の結果、変更操作がなされた場合には、画像変更を行う（Ｓ５７）。ここでは、ステップＳ５５で判定した変更操作に応じて、画像を変更する。すなわち、変更操作によって指定された画像データを読み出し、表示部８ａまたはＦ表示部７ａに画像再生を行う。
【００５９】
ステップＳ５１における判定の結果、再生モードでなかった場合には、画像ファイルの取得を行う（Ｓ５９）。ここでは、外部より通信手段（不図示）を介して、画像ファイルを取得する。
【００６０】
ステップＳ５９において画像ファイルを取得すると、またはステップＳ５７において画像変更を行うと、またはステップＳ５５における判定の結果、変更でなかった場合には、ステップ１に戻る。
【００６１】
次に、図７を用いて、本実施形態に係るカメラの円形マップ表示の操作について説明する。いま、ライブビュー表示を、Ｆ表示部７ａではなく、表示部８ａに行っているとする（図７（ａ）、Ｓ５）。円形マップ表示を行うためにマップ表示釦２ｃを操作すると（Ｓ９→Ｙｅｓ）、表示部８ａに円形マップ表示３０が表示される（図７（ｂ）、Ｓ１１）。
【００６２】
撮影者は、ライブビュー画像を観察しながら、色相を調節したい場合には、色相ダイヤル２ｂを回転操作し調節する（図７（ｃ）、Ｓ１９）。この場合、色相ダイヤル２ｂを１回転させると、カーソル３０ｆは円形マップ表示の円周を一周し、元の色相に戻る。
【００６３】
また、撮影者は、ライブビュー画像を観察しながら、彩度を調節したい場合には、彩度ダイヤル２ａを回動操作し調節する（図７（ｄ）、Ｓ２３）。この場合、彩度ダイヤル２ａを６０°回転すると、カーソル３０ｆは半径方向にｒ／２だけ移動する（ここで、ｒは円形マップの半径の長さ）。
【００６４】
このように、本実施形態におけるカメラ制御においては、円形マップ表示中に、色相ダイヤル２ｂが操作されると、操作に応じて、カーソル３０ｆを円形マップの円周方向に移動させ、ライブビュー画像を操作に応じた色相となるよう調節する（Ｓ１７、Ｓ１９、Ｓ１１７、Ｓ１１９）。また、彩度ダイヤル２ａが操作されると、操作に応じて、カーソル３０ｆを円形マップの半径方向に移動させ、ライブビュー画像を操作に応じた彩度となるように調節する（Ｓ２１、Ｓ２３、Ｓ１２１、Ｓ１２３）。このため、円形マップ表示の中にあるカーソル３０ｆの１点を見ながら、色相と彩度を調節することができる。この結果、表示画像の色と明るさを同時に確認操作でき、大変便利である。すなわち、色を明るく調整すると白くなり、暗く調整すると黒くなるように、色と明るさは表裏一体の関係にある。もっと明るい黄色とか深い（暗め）の赤色といったような、色と明るさの組合せを直感的に確認でき、画像の補正を簡単に行うことができる。色と明るさを、別々に操作するより、単純で明快であり、手間がかからないという利点がある。このように、１点を見ながら、２つのパラメータの設定を行うことができる。
【００６５】
また、本実施形態においては、タッチパネル８ｂを設けており、円形マップ表示上で、撮影者が設定したい色相と彩度の位置をタッチするだけで、色相と彩度の設定を行うことができる。すなわち、１操作で、２つのパラメータの設定を行うことができる。
【００６６】
なお、本実施形態においては、表示部８ａとＦ表示部７ａのいずれかに選択的に、円形マップ表示を行うようにしていたが、常時、表示部８ａとＦ表示部７ａの両方に円形マップ表示を行ってもよく、また、いずれか一方のみに円形マップ表示を行うようにしてもよい。
【００６７】
また、本実施形態においては、円形マップ表示はライブビュー画像に対して重畳表示し、再生画像には重畳表示を行っていなかった。しかし、再生画像に円形マップ表示を行い、再生画像に対して、色相や彩度の調整を行うようにしても勿論かまわない。
【００６８】
次に、本発明の一実施形態における操作部２の変形例について、図８を用いて説明する。一実施形態においては、画像の彩度や色相の調整をカメラ本体の上面に設けた２つのダイヤルによって行っていた。本変形例においては、レンズ鏡筒の外周に設けた操作リングや、カメラ本体の背面に設けたリングによって行うようにしている。
【００６９】
図８（ａ）に示すように、カメラ本体１０の上面にはレリーズ釦２ｆが設けてあり、撮影者は右手２０Ｒでレリーズ釦２ｆを操作することができる。また、レンズ鏡筒３ａの外周には、回転自在の鏡筒操作リング２ｄが配置されており、撮影者は左手２０Ｌで回転操作を行うことができる。この鏡筒操作リング２ｄは、色相ダイヤル２ｂと同様の機能を有する。本変形例においても、鏡筒操作リング２ｄが一周すると、円形マップ表示３０のカーソル３０ｆも一周する。
【００７０】
図８（ｂ）に示すように、カメラ本体１０の背面には、表示部８ａが設けられており、この表示部８ａにはライブビュー画像等に円形マップ表示３０を重畳表示できる。また、カメラ本体１０の背面の右上にはマップ表示釦２ｃが配置され、その下側には、背面ダイヤル２ｅが配置されている。この背面ダイヤル２ｅは、回転軸が縦方向にあり、撮影者は右手２０Ｒで左右方向に、所定角度範囲内で、回動させることができる。また、背面ダイヤル２ｅは、彩度ダイヤル２ａと同様の機能を果たし、背面ダイヤル２ｅの回動操作により、カーソル３０ｆは円の中心から外周まで、半径方向に移動する。
【００７１】
したがって、本変形例において、ライブビュー表示中に画像の彩度や色相を調節したい場合には、マップ表示釦２ｃを操作すると（図４のＳ９）、円形マップ表示３０が表示部８ａに重畳表示される（図４のＳ１１、図８（ｂ）参照）。この状態で鏡筒操作リング２ｄを操作すると、カーソル３０ｆが円周方向に移動し、このカーソル３０ｆの位置に応じて色相が調節される（図４のＳ１７、Ｓ１９）。また背面ダイヤル２ｅを操作すると、カーソル３０ｆが半径方向に移動し、このカーソル３０ｆの位置に応じて彩度が調節される（図４のＳ２１、Ｓ２３）。
【００７２】
次に、本発明の一実施形態におけるニュートラルゾーン３０ｃの第１〜第３変形例について、図９を用いて説明する。一実施形態においては、ニュートラルゾーン３０ｃは、扇形形状であり、この部分を無彩色で表示していたが、第１〜第３変形例のように変更してもよい。
【００７３】
図９（ａ）は、ニュートラルゾーン３０ｃの第１の変形例であり、ニュートラルゾーン３０ｃを着色し、彩度のコントローラとして認識し易くしている。着色にあたっては、単一色で無彩色から次第に有彩色に変化するようにする。
【００７４】
図９（ｂ）は、ニュートラルゾーン３０ｃの第２の変形例である。この第２の変形例では、外側リング３０ｇで色相を表示し、外側リング３０ｇで回転方向操作を色変更と認識させる。また、外側リング３０ｇの内側には、ライブビュー画像（撮影待機画像）を表示させる。この第２の変形例によれば、円形マップ表示３０の大部分を透過状態として、ライブビュー画像を表示でき、かつ色相と彩度の調整を行うことが可能となる。
【００７５】
図９（ｃ）は、ニュートラルゾーン３０ｃの第３の変形例である。この第３の変形例では、ニュートラルゾーン３０を棒状としている。したがって、彩度のコントローラとしては、棒状に沿って中心の無彩色から外周に向かって徐々に有彩色に変化する。
【００７６】
次に、図１０および図１１を用いて、円形マップ表示３０の大きさ・形状・位置の変化について説明する。
【００７７】
図１０は、円形マップ表示３０の大きさ等を変化させる基本操作を示す。図１０（ａ）は、基本となる円形マップ表示３０を示す。この状態では、円周上のどの角度も均一に分割されている。
【００７８】
この状態でタッチ操作の長押し等を行うと、図１０（ｂ）に示すように図形編集モードに変わり、図形編集表示３０ｈが表示される。この図形編集表示３０ｈは、円形マップ表示３０に内接する矩形と、矩形の中点および角を示す位置３０ｈａ、３０ｈｂ、３０ｈｃからなる。
【００７９】
図形編集モードになると、円形マップ表示３０の大きさ等を変化させることができる。この状態で、四隅を表す位置３０ｈａをタッチし、タッチしたままでスライドすると、図４（ｃ）に示すように、形状を維持したままで、円形マップ表示３０の拡大、縮小を行うことができる。また、図４（ｄ）に示すように、上辺または下辺の中点の位置３０ｈｂをタッチしたままでスライドさせると、円形マップ表示３０を上下方向に変形させることができる。また、図４（ｅ）に示すように、左辺または右辺の中点の位置３０ｈｃをタッチしたままでスライドさせると、円形マップ表示３０を左右方向に変形させることができる。
【００８０】
図１１は、円形マップ表示３０の形状と大きさを変化させた様子を示す。図１１（ａ）は、元となる円形マップ表示３０と図形編集表示３０ｈを示す。この状態で、上辺または下辺の中点の位置３０ｈｂをタッチしたままでスライドさせると、円形マップ表示３０を上下方向に変形させ、図１１（ｂ）に示すように、縦長楕円に変形させることができる。この状態では、図１１（ｅ）に示すように、黄色から赤色と、青色から緑色の部分で、ニュートラル色での鮮やかさの分割数が多くなり、広くなった部分で、色の微調整段数が増加する。
【００８１】
図１１（ａ）の元の状態から、左辺または右辺の中点の位置３０ｈｃをタッチしたままでスライドさせると、円形マップ表示３０を左右方向に変形させ、図１１（ｃ）に示すように、横長楕円に変形させることができる。この状態では、図１１（ｆ）に示すように、緑色から黄色と、赤色から青色の部分で、ニュートラル色での鮮やかさの分割数が多くなり、広くなった部分で、色の微調整段数が増加する。
【００８２】
また、図１１（ａ）の元の状態から、四隅の位置３０ｈａをタッチしたままでスライドすると、図１１（ｄ）に示すように、縮小（拡大）変形することができる。また、中央の白抜きの四角の位置３０ｈｄをタッチしたままでスライドすると、円形マップ表示３０が全体として移動する。さらに、図形編集表示３０ｈの点線枠内（中央の四角の位置３０ｈｄを含まない）は、円形マップ表示３０の回転モードとなる。
【００８３】
以上説明したように、本発明の一実施形態や変形例においては、円形マップ表示３０のカーソル３０ｆの位置を２つの操作部材（彩度ダイヤル２ａ、色相ダイヤル２ｂ等）によって円周方向３０ａと半径方向３０ｂに移動させ、２つの撮影パラメータの設定値を一点で表示するようにしている（図３参照）。このため、２つのパラメータの調整の際に、視線の移動がなく、直感的にパラメータ調整を行うことができる。
【００８４】
また、本発明の一実施形態や変形例においては、円周方向３０ａと、半径方向３０ｂに移動可能なカーソル３０ｆを有する円形マップ表示３０を表示可能な表示部８ａ（７ａ）と、カーソル３０ｆの円周方向３０ａと、半径方向３０ｂにそれぞれ移動させる操作部２（彩度ダイヤル２ａ、色相ダイヤル２ｂ等）と、操作部によって移動させた、カーソル３０ｆの円周方向の位置と、半径方向の位置にそれぞれ第１および第２の撮影パラメータを対応させて制御を行う制御部（画像処理及び制御部１、彩度・色相調整部１ｃ）を有している。
【００８５】
このため、本発明の一実施形態や変形例においては、２つの操作部材によって１つのカーソル３０ｆを移動させるようにしたので、２つのパラメータの調整の際に、視線の移動がなく、直感的にパラメータ調整を行うことができる。２つのパラメータとして、色相と彩度のように、相互に関連性のあるパラメータを同時に確認操作できると、２つのパラメータの設定の組合せを直感的に確認でき、補正を簡単に行うことができる。２つのパラメータを、別々に操作するより、単純で明快であり、手間がかからないという利点がある。
【００８６】
また、本発明の一実施形態や変形例においては、色相（第１の撮影パラメータ）は円周方向３０ａの位置に依存し、色相（第１の撮影パラメータ）を無効化するために、円形マップ表示上にニュートラルゾーン３０ｃを設けている。このため、ニュートラルゾーンを見ることにより彩度（第２のパラメータ）の変化を容易に確認することができ、彩度（第２のパラメータ）を容易に設定することができる。
【００８７】
また、本発明の一実施形態や変形例においては、操作部２は、円形マップ表示３０上でカーソル３０ｆを円周方向３０ａに移動させる第１のダイヤル（例えば、色相ダイヤル２ｂ）と、円形マップ表示２０上でカーソル３０ｆを半径方向３０ｂに移動させる第２のダイヤル（例えば、彩度ダイヤル２ａ）を有している。このため、第１及び第２のダイヤルを有することにより、２つの撮影パラメータを個別に調節することが可能となる。
【００８８】
また、本発明の一実施形態や変形例においては、第１及び第２のダイヤル（例えば、色相ダイヤル２ｂ、彩度ダイヤル２ａ）は、異なる指で同時に操作可能な位置に配置されている。このため、２つの撮影パラメータを同時に操作可能となる。
【００８９】
また、本発明の一実施形態や変形例においては、第１のダイヤル（例えば、色相ダイヤル２ｂ）は略一周することにより、円形マップ表示３０上の円周を一周し、第２のダイヤル（例えば、彩度ダイヤル２ａ）は一度の操作ストロークで半径の半分以上を移動する。このため、円周方向３０ａの動きと半径方向３０ｂの動きに適合した操作部材となる。
【００９０】
なお、本発明の一実施形態や変形例においては、撮影パラメータとして、色相と彩度を調整可能としていたが、これに限らず、他の撮影パラメータに置き換えても勿論かまわない。また、マップ表示としては、円形表示としていたが、矩形表示としてもよい。円形表示の場合には、操作ダイヤルが一周すると元の位置に戻る撮影パラメータに適しており、一方、矩形表示の場合には、所定範囲内で移動する撮影パラメータに適している。
【００９１】
また、本発明の一実施形態や変形例においては、撮影のための機器として、デジタルカメラを用いて説明したが、カメラとしては、デジタル一眼レフカメラでもミラーレスかめらでもコンパクトデジタルカメラでもよく、ビデオカメラ、ムービーカメラのような動画用のカメラでもよく、さらに、携帯電話、スマートフォーンや携帯情報端末（ＰＤＡ：Personal Digital Assist）、ゲーム機器等に内蔵されるカメラでも構わない。いずれにしても、設定したパラメータを表示可能な表示装置であれば、本発明を適用することができる。
【００９２】
また、特許請求の範囲、明細書、および図面中の動作フローに関して、便宜上「まず」、「次に」等の順番を表現する言葉を用いて説明したとしても、特に説明していない箇所では、この順で実施することが必須であることを意味するものではない。
【００９３】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００９４】
１・・・画像処理及び制御部、１ａ・・・表示制御部、１ｂ・・・撮影制御部、１ｃ・・・彩度・色相調整部、２・・・操作部、２ａ・・・彩度ダイヤル、２ｂ・・・色相ダイヤル、２ｃ・・・マップ表示釦、２ｄ・・・鏡筒操作リング、２ｅ・・・背面ダイヤル、２ｆ・・・レリーズ釦、３・・・撮像部、３ａ・・・レンズ鏡筒、４・・・時計部、５・・・記録部、６・・・操作判定部、７ａ・・・Ｆ表示部、７ｂ・・・アイセンサ、８ａ・・・表示部、８ｂ・・・タッチパネル、１０・・・カメラ、２０Ｌ・・・撮影者の左手、２０Ｒ・・・撮影者の右手、３０・・・円形マップ表示、３０ａ・・・円周方向、３０ｂ・・・半径方向、３０ｃ・・・ニュートラルゾーン、３０ｄ・・・基準点、３０ｅ・・・基準線、３０ｆ・・・カーソル、３０ｇ・・・外側リング、３０ｈ・・・図形編集表示
【図１】
2014127722.tif 000003
【図２】
2014127722.tif 000004
【図４】
2014127722.tif 000005
【図５】
2014127722.tif 000006
【図６】
2014127722.tif 000007
【図７】
2014127722.tif 000008
【図８】
2014127722.tif 000009
【図３】
2014127722.tif 000010
【図９】
2014127722.tif 000011
【図１０】
2014127722.tif 000012
【図１１】
2014127722.tif 000013